(57)【要約】  【課題】  面ファスナーの微小突起の上の正反対方向の延出部が基部の長手方向の斜めに延出され、網の網目の正方形の中の内間距離のいちばん長い対角線位置で延出部が入り込み、正方形の網目から延出部がはずれにくい。  【解決手段】  これら第１面ファスナー１の微小突起３には網１０の網目の隙間９が挿通され、さらに第２面ファスナー２の微小ループ７がこの微小突起３の延出部５に係合する。これにより、第１面ファスナー１と第２面ファスナー２との間には、網１０が挟まれて挟持され容易に外れなくなる。  【選択図】図３
2006175077.tif 000002
【特許請求の範囲】
【請求項１】
長手方向に伸びる基部と、
この基部の上に多数立設された微小突起と、
この微小突起の上方から互いに正反対の方向に突出する一対の延出部であって、この延出部は上記基部の長手方向と幅方向の間の斜め方向に延出されていることを特徴とする面ファスナー。
【請求項２】
上記微小突起には網の網目の隙間が挿通され、当該網の網目の最大内間距離に、上記延出部の長さまたは微小突起の幅がほぼ一致していることを特徴とする請求項１記載の面ファスナー。
【請求項３】
上記微小突起には網の網目の隙間が挿通され、上記延出部には他方の面ファスナーの多数の微小ループが係合していることを特徴とする請求項１または２記載の面ファスナー。
【請求項４】
上記微小突起には網の網目の隙間が挿通され、この網は平織りで碁盤目状であり、この碁盤目の方向は上記面ファスナーの長手方向または幅方向にほぼ一致していることを特徴とする請求項１、２または３記載の面ファスナー。
【請求項５】
上記延出部は、基部に向かってやや下方に延出されていることを特徴とする請求項１、２、３または４記載の面ファスナー。
【請求項６】
上記微小突起の幅方向の上記所定間隔と、長手方向の上記離間間隔とはほぼ同じであり、これらの微小突起は等間隔であることを特徴とする請求項１、２、３、４または５記載の面ファスナー。
【請求項７】
上記微小突起は平板状であって、上記斜め方向または上方から見たとき長方形に見えることを特徴とする請求項１、２、３、４、５または６記載の面ファスナー。
【請求項８】
上記微小突起の根元付近にくびれが形成されることを特徴とする請求項１、２、３、４、５、６または７記載の面ファスナー。
【発明の詳細な説明】
【技術分野】
【０００１】
本発明は、面ファスナーに関する。
【背景技術】
【０００２】
従来、面ファスナーの微小突起を、網の網目の隙間を通すことはできなかった。
【０００３】
【特許文献１】特開平８−３２２６０９号公報
【特許文献２】特開平９−３１５号公報
【特許文献３】特公平５−２５４８３号公報
【発明の開示】
【発明が解決しようとする課題】
【０００４】
これは、微小突起の密度が網目のピッチに整合していないことのほか、微小突起がフック状／鈎状であったため、微小突起を網目の隙間に容易に入り込まなかったことが理由である。
【０００５】
本発明は、上述した課題を解決するためになされたものであり、本発明の目的は、面ファスナーの微小突起の厚みや長手方向の間隔を自由に変更できる面ファスナーを提供することである。
【課題を解決するための手段】
【０００６】
上記目的を達成するために、本発明は、面ファスナーの基部の上に多数立設された微小突起の上方から互いに正反対の方向に突出する一対の延出部であって、この延出部は上記基部の長手方向と幅方向の間の斜め方向に延出されているようにした。
【発明の効果】
【０００７】
したがって、微小突起の上方から延出部が互いに正反対の方向に突出するから、微小突起の前後左右にバランスよく力が働いて分散し、微小突起に片寄った力が働かないので、網の網目の隙間等に微小突起を通すとき、微小突起を傾ける力が働きにくく、微小突起が隙間を容易に挿通することができる。
【０００８】
また、延出部は上記基部の長手方向と幅方向の間の斜め方向に延出されているので、平織りの網の正方形の網目の隙間に対しては、正方形の中の内間距離のいちばん長い対角線位置で延出部が入り込むので、正方形の網目の隙間から延出部がはずれにくくなる。
【発明を実施するための最良の形態】
【０００９】
（１）第１面ファスナー１及び第２面ファスナー２の構造
図１及び図２は、第１面ファスナー１及び第２面ファスナー２の構造を示す。この第１面ファスナー１の微小突起３は微小錨状または矢印状であり、第１面ファスナー１の基板４（基部）から微小突起３が突出し、この微小突起３の上方が曲がって、表面から正反対の方向へ突出して、やや下方向き／基板４向きに延出されて一対の延出部５が形成されている。
【００１０】
この各微小突起３の根元は、基板４（基部）で繋がっていることになる。この微小突起３の根元付近はくびれていてくびれ部６が形成されている。この微小突起３は横に複数列例えば５列配列され、第１面ファスナー１の長手方向に沿って所定間隔ごとに突設されている。
【００１１】
これら微小突起３は、上から見ると、図２に示すように、平板状つまり平坦な板状で、斜め方向に一列に揃っていて、長方形にみえる。したがって、上記延出部５の延出方向及び曲がる方向、及び上記くびれ部６のくびれ方向及び凹み方向は、第１面ファスナー１の長手方向と幅方向との間の斜め方向に伸びている。図２の例ではこの斜めの方向は、長手方向と幅方向とのちょうど中間の４５度である。
【００１２】
これらの微小突起３の第１面ファスナー１の長手方向の各間隔及び幅方向の各間隔はほぼ同じ／等間隔である。各微小突起３の間隔は、例えば、第１面ファスナー１の長手方向では２．２〜２．５ｍｍ、第１面ファスナー１の幅方向でも２．２〜２．５ｍｍである。微小突起３の高さは１．５ｍｍ、幅は０．９ｍｍ、厚さは０．５ｍｍであり、基板４の幅は１２．０ｍｍ、厚さは０．４ｍｍであり、長手方向に長く成形されて押し出される。
【００１３】
第２面ファスナー２の基板８からは、微小ループ（微小環または微小リング）７が突設されている。この微小ループ７は、上記第１面ファスナー１の上記微小突起３の先端の延出部５に係合する。これにより、第１面ファスナー１に対して第２面ファスナー２が着脱容易に係合し容易に外れなくなる。
【００１４】
この微小ループ７の密度は、上記微小突起３の密度の数倍乃至数十倍あり、微小突起３に比べて非常に多数形成されている。したがって、微小突起３の１つの延出部５に対して少なくとも１つ乃至は複数の微小ループ７が係合され、微小ループ３が係合されないことはあっても、微小突起３が係合されないということはない。
【００１５】
微小突起３の延出部５は、微小突起３の支柱に対して互いに正反対の方向に伸びて互いに対称形であって、第２面ファスナー２の微小ループ７と係合するので、微小突起３の前後左右にバランスよく力が働いて分散し、微小突起３に片寄った力が働かず、微小突起３を傾ける力が働きにくく、微小突起３から微小ループ７がはずれにくい。
【００１６】
また、このように、微小突起３の前後左右にバランスよく力が働いて分散し、微小突起３に片寄った力が働かないので、微小突起３の強度を高める必要がなくなり、微小突起３を薄くできる。
【００１７】
上記第１面ファスナー１と上記第２面ファスナー２とは互いに着脱自在に係合される。したがって、第１面ファスナー１と上記第２面ファスナー２とを互いに剥がすときには、両ファスナー１、２を離すようにすればよい。
【００１８】
（２）第１面ファスナー１及び第２面ファスナー２の用途
第１面ファスナー１及び第２面ファスナー２の用途としては、着脱の必要な箇所に両面テープなどで第１面ファスナー１及び第２面ファスナー２が貼り付けられ、第１面ファスナー１と第２面ファスナー２とが係合されたり離脱されたりして着脱される。
【００１９】
また、これら第１面ファスナー１と第２面ファスナー２との間には、網１０、布、碁盤目状の板等が挟まれて挟持される。碁盤目状の板には方形状・その他の形状の穴が形成され、この穴を上記第１面ファスナー１の微小突起３が貫通して、この微小突起３に第２面ファスナー２の微小ループ７が係合し、碁盤目状の板等が挟まれて挟持される。
【００２０】
同様に、図３及び図４に示すように、網１０の網目の隙間９、布の布目の隙間９を、上記第１面ファスナー１の微小突起３が貫通して、この微小突起３に第２面ファスナー２の微小ループ７が係合し、これら網１０、布等が挟まれて挟持される。このとき、上記くびれ部６に、上記網１０または布の糸・繊維が引っかかり、上記挟持が補強される。
【００２１】
図３及び図４の例は、各微小突起３の間に網１０を構成する網線１１が２本ずつ嵌め込まれ係合される。網目の隙間９の大きさが大きくなったり、微小突起３の密度が上がったりすると、各微小突起３の間に上記網線１１が１本ずつ嵌め込まれ係合される。逆に、網目の隙間９の大きさが小さくなったり、微小突起３の密度が下がったりすると、各微小突起３の間に上記網線１１が３本ずつ以上嵌め込まれ係合される。
【００２２】
延出部５の延出方向は微小突起３から互いに正反対の方向で互いに対称形あるから、網の網目の隙間９に微小突起３を通すとき、微小突起３の前後左右にバランスよく力が働き、微小突起３に片寄った力が働かず、微小突起３を傾ける力が働きにくく、微小突起３が隙間９を容易に挿通することができる。微小突起３が斜めであると、網の網目の隙間９を挿通し難い。
【００２３】
上記延出部５は上記基板４の長手方向と幅方向の間の斜め方向に延出されており、図４に示すように、平織りの網１０の正方形の網目の隙間９において、この正方形の中の内間距離のいちばん長い対角線位置に、微小突起３の幅または一方の延出部５から他方の延出部５までの長さがほぼ一致するので、正方形の網目の隙間９から延出部５、５がはずれにくくなる。この場合、一方の延出部５から多能の延出部５までの長さは、網１０の正方形の網目の隙間９の対角線とほぼ同じか、若干小さいか、若干大きい。
【００２４】
もし、延出部５の延出方向が第１面ファスナー１の幅方向に沿っていて、上記網１０の正方形の網目の隙間９の幅／一辺の長さに、微小突起３の幅または一方の延出部５から他方の延出部５までの長さがほぼ一致すると、網１０が引っ張られたりして微小突起３が捻られたとき、延出部５が網目の隙間９からはずれてしまい、微小突起３が網１０からはずれてしまうことになってしまう。
【００２５】
（３）第１面ファスナー１及び第２面ファスナー２の製造方法・材質
第１面ファスナー１の素材はポリエチレンテレフタレートなどのポリエステル、ポリプロピレンなどのポリオレフィン、ポリ塩化ビニル、ポリスチレン、ポリアミドなどの紫外線に対する耐久性の強い樹脂が用いられ、基板４、微小突起３、延出部５、くびれ部６の全てが一体成形（成型）される。
【００２６】
第１面ファスナー１を製造するには、例えば次のように行う。第１面ファスナー１を製造するための押出機（成型機）の射出口は、上記図１に示すような形状をしていて、所定の樹脂圧によって溶融樹脂が連続的に射出される。これにより、このような図１の断面形状の樹脂成形物が順次射出されていく。
【００２７】
この射出された樹脂成形物は硬化された後、上記図２の左上から右下の斜め方向に向かって、基板４だけを残して、所定間隔（例えば０．５ｍｍ）ごとに、切削機で削り取られていく。これにより、図２に示すような斜め向きの微小突起３がこの所定間隔ごとに残っていく。また、各微小突起３は斜め方向に一列に揃うことになる。
【００２８】
（４）他の実施の形態
本発明は、上記実施例に限定されず、種々変更可能である。例えば、微小突起３の幅方向の間隔と長手方向の間隔とは異なっていてもよいし、各微小突起３の間隔は均一で等間隔ではなく、各間隔の長さにばらつきがあってもよい。
【００２９】
上記微小突起３の一方の延出部５の先端から他方の延出部５の先端までの長さまたは微小突起３の幅は、網１０の網目の隙間９の最大内間距離／対角線にほぼ一致している。しかし、若干短くてもよい。これにより、延出部５、５が網目の隙間９を通りやすくなる。この場合、延出部５、５の延出角度は上記４５度より大きくなったり小さくなったりする。また、延出部５が軟らかく撓みやすいものであれば、網目の隙間９の最大内間距離／対角線より若干大きくてもよい。
【００３０】
また、この最大内間距離／対角線は、網目の隙間９の寸法／大きさのほか形状によっても変化する。例えば、三角形であれば、この三角形の三辺の最大長の辺の長さに一致する。六角形、八角形などであれば、対角線のなかでいちばん長い対角線または中心を通る対角線にほぼ一致する。
【００３１】
上記延出部５は、微小突起３の先端だけでなく、微小突起３の先端やや下・途中・中央などに形成されてもよい。また、延出部５は２つ一対だけでなく３つ以上でもよいし、微小突起３に対して１つ単一であってもよい。さらに、くびれ部６は、微小突起３の根元だけでなく、微小突起３の根元よりやや上・途中・中央などに形成されてもよいし、省略されてもよい。
【００３２】
上記延出部５の延出方向は、第１面ファスナー１の幅方向ではなく、長手方向でもよい。これは、専ら長手方向に力が働く場所では有効である。この場合、第２面ファスナー２の微小ループ７の方向は、面ファスナー１、２の幅方向となる。上記実施例では、延出部５の延出方向は、第１面ファスナー１の幅方向であるから、第２面ファスナー２の微小ループ７の方向は、面ファスナー１、２の長手方向（長尺方向）となる。
【００３３】
上記第１面ファスナー１及び第２面ファスナー２の微小突起３の大きさまたは各間隔、基板４、延出部５、微小ループ７、基板８等の大きさは、上述以外の寸法であってもよく、任意である。くびれ部６は省略され、微小突起３の支柱は寸胴で凹凸がなくてもよい。
【００３４】
さらに、図２及び図４の微小突起３の延出部５の伸びる斜め方向は、長手方向と幅方向との中間の４５度以外に、３０度、１５度、６０度、７５度などどのような角度でもよい。このような角度の選択は、挿通される網１０の網目の隙間１２の形状、網線１１の角度・方向に応じて行われる。
【００３５】
また、第１面ファスナー１の微小突起３は、上記微小錨状、微小矢印状のほか、微小キノコ状、「逆Ｊ字状」の微小鉤状または微小鈎状であってもよいし、上方から見たとき「Ｘ字状」または「×字状」で、四方に延出部５が伸びていてもよい。
【００３６】
（４）他の発明の効果
［１］長手方向に伸びる基部と、  この基部の上に多数立設された微小突起と、  この微小突起の上方から互いに正反対の方向に突出する一対の延出部であって、この延出部は上記基部の長手方向と幅方向の間の斜め方向に延出されていることを特徴とする面ファスナー。
【００３７】
延出部が微小突起から正反対の方向に伸びていて、延出部が互いに対称形であると、微小突起の前後左右にバランスよく力が働いて分散し、微小突起に片寄った力が働かず、微小突起を傾ける力が働きにくく、微小突起から他の面ファスナーがはずれにくい。また、微小突起の前後左右にバランスよく力が働いて分散し、微小突起に片寄った力が働かないので、微小突起の強度を高める必要がなくなり、微小突起を薄くできる。また、網の網目の隙間等に微小突起を通すとき、微小突起を傾ける力が働きにくく、微小突起が隙間を容易に挿通することができる。
【００３８】
［２］上記微小突起には網の網目の隙間が挿通され、当該網の網目の最大内間距離に、上記延出部の長さまたは微小突起の幅がほぼ一致していることを特徴とする請求項１記載の面ファスナー。これにより、網の網目から微小突起の延出部がはずれにくくなる。
【００３９】
［３］上記微小突起には網の網目の隙間が挿通され、上記延出部には他方の面ファスナーの多数の微小ループが係合して、当該網が固定されることを特徴とする請求項１または２記載の面ファスナー。これにより、微小突起の先端だけを係合に使って、微小突起の中央部から根元にかけて網などの係合に全て使用できる。
【００４０】
［４］上記微小突起には網の網目の隙間が挿通され、この網は平織りで碁盤目状であり、この碁盤目の方向は上記面ファスナーの長手方向または幅方向にほぼ一致していることを特徴とする請求項１、２または３記載の面ファスナー。これにより、網の周縁を本件面ファスナーで容易に固定できる。
【００４１】
［５］上記延出部は、基部に向かってやや下方に延出されていることを特徴とする請求項１、２、３または４記載の面ファスナー。これにより、微小突起に係合する網が延出部に引っかかり、網が容易に外れなくなる。
【００４２】
［６］上記微小突起の幅方向の上記所定間隔と、長手方向の上記離間間隔とはほぼ同じであり、これらの微小突起は等間隔であることを特徴とする請求項１、２、３、４または５記載の面ファスナー。これにより、網のような隙間が当間隔のものを挿通して係合させるのに都合がよい。
【００４３】
［７］上記微小突起は平板状であって、上記斜め方向または上方から見たとき長方形に見えることを特徴とする請求項１、２、３、４、５または６記載の面ファスナー。これにより、面ファスナーを製造するのが容易になる。
【００４４】
［８］上記微小突起の根元付近にくびれが形成されることを特徴とする請求項１、２、３、４、５、６または７記載の面ファスナー。これにより、微小突起を貫通させた網などをくびれ部にさらに係止させることができる。
【産業上の利用可能性】
【００４５】
長手方向に連続して形成される基部及び微小突起のうち、微小突起のみが所定間隔ごとに上記幅方向に順次切断されて延伸され、面ファスナーが大量製造できる。押出機１１（成型機）から射出された樹脂成形物１３は、カッター１４で幅方向にスライスされ、カッター１４が樹脂成形物１３にスライス状態で静止されたまま、樹脂成形物１３が引っ張られて延伸される。すると、樹脂成形物１３の基板４（基部）部分だけが延伸されて伸びて、微小突起３の部分の厚みは変化せず、各微小突起３の間隔が広げられる。
【図面の簡単な説明】
【００４６】
【図１】この発明の一実施の形態に係る第１面ファスナー１の正面構造を示す。
【図２】第１面ファスナー１の平面構造を示す。
【図３】第１面ファスナー１の微小突起３に網１０の隙間９を挿通させて、第２面ファスナー２の微小ループ７を係合した状態（正面）を示す。
【図４】第１面ファスナー１の各微小突起３に網１０が係合した状態（平面）を示す。
【符号の説明】
【００４７】
１…第１面ファスナー、２…第２面ファスナー、
３…微小突起、４…基板（基部）、
５…延出部、６…くびれ部、
７…微小ループ、８…基板、
９…隙間、１０…網、１１…網線。
【図１】
2006175077.tif 000003
【図２】
2006175077.tif 000004
【図３】
2006175077.tif 000005
【図４】
2006175077.tif 000006